(57)【要約】【課題】内視鏡管路の管路口金と液体供給口金との間を、各口金部間からの液体の漏れによって確実に洗浄消毒することができるとともに、内視鏡管路の詰まり検出も精度良く確実に行うことができる構成を具備する内視鏡洗浄消毒装置を提供する。【解決手段】管路口金１１０における装着面に対し突起部１２１が当接するとともに、内部に設けられた第１の管路１２０ｉが、管路口金１１０内の吸引管路１００ｉと連通する第１の管路部材１２０と、第１の管路部材１２０の外周に嵌合固定された、内部に第１の管路１２０ｉに連通する第２の管路１３０ｉが設けられた第２の管路部材１３０と、第２の管路１３０ｉに設けられた、第２の管路１３０ｉにおいて、第１の管路部材１２０を管路口金１１０側に押圧する押圧部材１７０と、第２の管路部材１３０に形成された、第２の管路１３０ｉに液体Ｗを導入する液体導入口１３２とを具備したことを特徴とする。【選択図】図５
2010011977.tif 000002
【特許請求の範囲】
【請求項１】
内視鏡の内視鏡管路の管路口金に、前記内視鏡管路に少なくとも液体を供給する液体供給口金を装着することにより、前記内視鏡管路を自動的に洗浄消毒する内視鏡洗浄消毒装置であって、
前記液体供給口金は、
前記液体供給口金が前記管路口金に装着された際、前記管路口金における装着面に対し一部が当接するとともに、内部に設けられた第１の管路が、前記管路口金内の前記内視鏡管路と連通する第１の管路部材と、
前記第１の管路部材の外周に嵌合固定された、内部に前記第１の管路に連通する第２の管路が設けられた第２の管路部材と、
前記第２の管路に設けられた、前記液体供給口金が前記管路口金に装着された際、前記第２の管路において、前記第１の管路部材を、前記管路口金側に押圧する押圧部材と、
前記第２の管路部材に形成された、前記第２の管路に前記液体を導入する液体導入口と、
を具備したことを特徴とする内視鏡洗浄消毒装置。
【請求項２】
前記第２の管路部材に形成された、前記液体供給口金が前記管路口金に装着された際、前記押圧部材の押圧に伴って前記第２の管路部材を前記管路口金に固定する、前記管路口金の被係止部に係止される係止部をさらに具備していることを特徴とする請求項１に記載の内視鏡洗浄消毒装置。
【請求項３】
前記液体導入口に接続された、前記第２の管路に前記液体を供給する液体供給管路と、
前記液体供給管路に設けられた、前記液体の供給量を検出するとともに、該液体の供給量から、前記内視鏡管路の詰まりを検出する流量センサと、
をさらに具備していることを特徴とする請求項１または２に記載の内視鏡洗浄消毒装置。
【請求項４】
前記第１の管路部材の一部が前記管路口金の前記装着面に当接していることにより、前記第１の管路部材の前記装着面に対向する対向面と前記装着面との間には、前記液体供給口金の装脱方向において設定間隔を有する空間が設けられており、
前記液体供給口金から前記管路口金に前記液体が供給された際、前記空間を介して、前記内視鏡管路から、設定量の前記液体が漏れ出すことを特徴とする請求項１〜３のいずれか１項に記載の内視鏡洗浄消毒装置。
【請求項５】
前記押圧部材は、前記第１の管路部材を前記管路口金側に押圧することにより、前記空間の前記設定間隔を保持していることを特徴とする請求項４に記載の内視鏡洗浄消毒装置。
【請求項６】
前記内視鏡管路は、前記内視鏡を被検部位に挿入した際、前記被検部位の対象物を吸引する吸引管路であり、
前記吸引管路に前記液体を供給する際、前記空間を介して前記吸引管路から漏れ出す前記液体の前記設定量は、０L/min量より大きく、１．５L/min量以下に設定されていることを特徴とする請求項４または５に記載の内視鏡洗浄消毒装置。
【発明の詳細な説明】
【技術分野】
【０００１】
本発明は、内視鏡の内視鏡管路の管路口金に、内視鏡管路に少なくとも液体を供給する液体供給口金を装着することにより、内視鏡管路を自動的に洗浄消毒する内視鏡洗浄消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡は、洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、吸引管路、処置具挿通管路等の複数の内視鏡管路内に対しても洗浄液及び消毒液が供給されることにより内視鏡管路内も洗浄消毒される。
【０００５】
また、洗浄消毒装置を用いた内視鏡管路内の洗浄消毒は、例えば作業者によって、洗浄消毒槽にセットされた内視鏡の内視鏡管路の管路口金に対し、洗浄消毒装置に設けられた液体供給ポートに一端が接続された洗浄チューブの他端に設けられた液体供給口金が装着されることにより、洗浄消毒装置から、洗浄チューブを介して内視鏡管路内に洗浄液や、消毒液、濯ぎ水等の各種液体が供給可能な状態において行われる。
【０００６】
ところで、内視鏡管路内に、例えば内視鏡を用いた検査において吸引した体腔内の組織が詰まってしまっている場合、該詰まった組織により、内視鏡管路内全体に対し、上述した各種液体を供給することができなくなってしまう。
【０００７】
よって、従来は、内視鏡管路内に詰まりがあるか否かを、作業者の目視により確認していたが、目視作業は、作業者にとって負担となるばかりか、内視鏡管路内の詰まりを確実に視認することは難しい。
【０００８】
そこで、特許文献１には、洗浄消毒装置の液体供給ポートに各種液体を供給する管路に対し流量センサを設け、該流量センサが、内視鏡管路内が詰まっているときの流量と内視鏡管路内に詰まりがないときの流量とを比較することにより、内視鏡管路内の詰まり検出を行うことができる構成、具体的には、内視鏡管路内に詰まりがないときの流量よりも検出した流量が少ない場合に、流量センサによって、内視鏡管路内の詰まりが検出される構成が開示されている。
【０００９】
しかしながら、内視鏡管路の管路口金に対し、液体供給口金が完全に液密となるよう装着されていないと、内視鏡管路内に各種液体を供給した際、両口金間から液体が漏れてしまう。
【００１０】
よって、内視鏡管路内に詰まりが発生していたとしても、各種液体は、各口金間から漏れていることから、実際は、内視鏡管路内全体に各種液体が供給されていないにも関わらず、流量センサによる流量の減少が検出できず、内視鏡管路の詰まりを検出することができないといった問題があった。
【００１１】
そのような問題に鑑み、各口金間を液密に接続できる構成も周知ではあるが、このような構成では、各口金におけるシール部が洗浄液や消毒液に接触しなくなってしまうことから、各口金部におけるシール部の洗浄消毒を、後の工程において別途行わなくてはならず、作業者にとって大変煩雑である。
【００１２】
尚、特許文献２には、内視鏡管路の管路口金に対し、液体供給口金を装着した際、各口金部間から所定量の各種液体が漏れることにより、該漏れた各種液体により、各口金部におけるシール部の洗浄消毒を行うことができる口金の接続構成が開示されている。
【特許文献１】特開２００１−２９９６９７号公報
【特許文献２】特開平８−２４８１３号公報
【発明の開示】
【発明が解決しようとする課題】
【００１３】
しかしながら、特許文献２に開示された構成においては、流量センサを用いた内視鏡管路内の詰まり検出を考慮していないため、各口金部間から漏れ出る各種液体の漏れ量が不明であることから、各口金部間からの各種液体の漏れにより、流量センサによる内視鏡管路の詰まり検出が正確に行えるか否かが定かではない。
【００１４】
また、特許文献２に開示された構成においては、内視鏡管路の管路口金の外周面において、流体供給口金が、一部に間隙を有して当接することにより、各口金部間において、各種液体が管路口金の外周面から漏れ出る構成となっている他、管路口金に対して流体供給口金の抜け止め機構も有している。
【００１５】
ところが、内視鏡管路の管路径と各種液体の供給量との関係によっては、流体の供給に伴い、流体供給口金に対して内視鏡管路内から圧力が付与されてしまう。この際、抜け止め機構により、管路口金に対して流体供給口金が抜けてしまうことは防ぐことができているものの、特許文献２の構成においては、管路口金の外周面に対して流体供給口金の当接部が装脱方向にずれてしまう構成を有しているため、該ずれが発生すると、各口金部間から漏れ出る各種液体の量が多くなってしまい、流量センサによる内視鏡管路の詰まり検出が行えなくなってしまうといった問題があった。
【００１６】
さらに、仮に、漏れ量が少なくなるよう設定されていたとしても、漏れ量が一定でなければ、流量センサにおける詰まり検出を精度良く行うことができないといった問題もあった。
【００１７】
本発明の目的は、上記問題点に鑑みてなされたものであり、内視鏡管路の管路口金と液体供給口金との間を、各口金部間からの液体の漏れによって確実に洗浄消毒することができるとともに、内視鏡管路の詰まり検出も精度良く確実に行うことができる構成を具備する内視鏡洗浄消毒装置を提供するにある。
【課題を解決するための手段】
【００１８】
上記目的を達成するため本発明による内視鏡洗浄消毒装置は、内視鏡の内視鏡管路の管路口金に、前記内視鏡管路に少なくとも液体を供給する液体供給口金を装着することにより、前記内視鏡管路を自動的に洗浄消毒する内視鏡洗浄消毒装置であって、前記液体供給口金は、前記液体供給口金が前記管路口金に装着された際、前記管路口金における装着面に対し一部が当接するとともに、内部に設けられた第１の管路が、前記管路口金内の前記内視鏡管路と連通する第１の管路部材と、前記第１の管路部材の外周に嵌合固定された、内部に前記第１の管路に連通する第２の管路が設けられた第２の管路部材と、前記第２の管路に設けられた、前記液体供給口金が前記管路口金に装着された際、前記第２の管路において、前記第１の管路部材を、前記管路口金側に押圧する押圧部材と、前記第２の管路部材に形成された、前記第２の管路に前記液体を導入する液体導入口と、を具備したことを特徴とする。
【発明の効果】
【００１９】
本発明によれば、内視鏡管路の管路口金と液体供給口金との間を、各口金部間からの液体の漏れによって確実に洗浄消毒することができるとともに、内視鏡管路の詰まり検出も精度良く確実に行うことができる構成を具備する内視鏡洗浄消毒装置を提供することができる。
【発明を実施するための最良の形態】
【００２０】
以下、図面を参照して本発明の実施の形態を説明する。尚、以下、内視鏡内に設けられた内視鏡管路は、被検部位の対象物を吸引する処置具挿通用管路を兼ねた吸引管路を例に挙げて説明する。
【００２１】
図１は、本実施の形態を示す洗浄消毒装置の斜視図、図２は、図１のトップカバーが開放され、洗浄消毒槽に内視鏡が収納自在な状態を示す洗浄消毒装置の斜視図である。
【００２２】
同図に示すように、洗浄消毒装置１は、使用済みの内視鏡１００を洗浄、消毒するための装置であり、装置本体２と、その上部に、例えば図示しない蝶番を介して開閉自在に接続されたトップカバー３とにより、主要部が構成されている。
【００２３】
図１に示すように、トップカバー３が、装置本体２に閉じられている状態では、装置本体２とトップカバー３とは、装置本体２及びトップカバー３の互いに対向する位置に配設された、例えばラッチ８により固定される構成となっている。
【００２４】
装置本体２の操作者が近接する図中前面（以下、前面と称す）であって、例えば左半部の上部に、洗剤／アルコールトレー１１が、装置本体２の前方へ引き出し自在に配設されている。
【００２５】
洗剤／アルコールトレー１１には、内視鏡１００を洗浄する際に用いられる洗浄剤が貯留された洗剤タンク１１ａと、洗浄消毒後の内視鏡１００を乾燥する際に用いられるアルコールが貯留されたアルコールタンク１１ｂとが収納されており、洗剤／アルコールトレー１１が引き出し自在なことにより、各タンク１１ａ、１１ｂに、所定に液体が補充できるようになっている。
【００２６】
尚、洗剤／アルコールトレー１１には、２つの窓部１１ｍが設けられており、該窓部１１ｍにより、各タンク１１ａ、１１ｂに注入されている洗浄剤及びアルコールの残量が操作者によって確認できるようになっている。この洗浄剤は、後述する給水フィルタ１７（図３参照）により濾過処理がされた水道水により所定の濃度に希釈される濃縮洗剤である。本実施の形態では、以下の説明において、前記洗浄剤と前記水道水との混合液を洗浄液という。
【００２７】
また、装置本体２の前面であって、例えば右半部の上部に、カセットトレー１２が、装置本体２の前方へ引き出し自在に配設されている。カセットトレー１２には、内視鏡１００を消毒する際に用いる、例えば過酢酸等の消毒液が注入された薬液ボトル１２ａが収納されており、カセットトレー１２が、引き出し自在なことにより、薬液ボトル１２ａを所定にセットできるようになっている。
【００２８】
さらに、装置本体２の前面であって、カセットトレー１２の上部に、洗浄消毒時間の表示や、消毒液を加温するための指示釦等が配設されたサブ操作パネル１３が配設されている。また、装置本体２の図中前面の下部に、装置本体２の上部に閉じられているトップカバー３を、操作者の踏み込み操作により、図２に示すように、装置本体２の上方に開くためのペダルスイッチ１４が配設されている。
【００２９】
また、図２に示すように、装置本体２の上面の、例えば操作者が近接する前面側の両端寄りに、装置本体２の洗浄、消毒動作スタートスイッチ、及び洗浄、消毒モード選択スイッチ等の設定スイッチ類が配設されたメイン操作パネル２５が設けられている。
【００３０】
また、装置本体２の上面であって、操作者が近接する前面に対向する背面側に、装置本体２に水道水を供給するための、後述する水道蛇口５（図３参照）に接続された後述する給水ホース３１ａ（図３参照）が接続される給水ホース接続口３１が配設されている。尚、給水ホース接続口３１に、水道水を濾過するメッシュフィルタが配設されていてもよい。
【００３１】
さらに、装置本体２の上面の略中央部に、内視鏡収納口をトップカバー３によって開閉される、後述する図３に示すように内視鏡１００が収納自在な洗浄消毒槽４が設けられている。洗浄消毒槽４は、槽本体５０と該槽本体５０の内視鏡収納口の外周縁に連続して周設されたテラス部５１とにより構成されている。
【００３２】
槽本体５０は、使用後の内視鏡１００が洗浄消毒される際、該内視鏡１００が収納自在であり、槽本体５０の底面５０ｔには、槽本体５０に供給された洗浄液、水、アルコール、消毒液等の液体を槽本体５０から排水するための排水口５５が設けられている。
【００３３】
また、槽本体５０の周状の側面５０ｓの任意の位置に、槽本体５０に供給された水、洗浄液、消毒液等を、後述する手段を介して内視鏡１００の内部に具備された後述する吸引管路１００ｉ（図４参照）に供給する、または槽本体５０に供給された洗浄液、水、消毒液等を、メッシュフィルタ等を介し、後述する給水循環ノズル２４から槽本体５０に再度供給するための循環口５６が設けられている。尚、循環口５６には、洗浄液等を濾過するメッシュフィルタが設けられていても良い。
【００３４】
尚、上述した循環口５６は、槽本体５０の底面５０ｔに設けられていてもよい。循環口５６が槽本体５０の底面５０ｔに設けられていれば、内視鏡１００の吸引管路１００ｉ、または再度槽本体５０への、各種液体の供給タイミングを早めることができる。さらに、ユーザが循環口５６に設けられたメッシュフィルタ等を交換するに際し、底面５０ｔに設けられていると、操作者がアプローチしやすくなるといった利点がある。
【００３５】
洗浄消毒槽４の槽本体５０には、さらに、後述する超音波振動子５２と、ヒータ５３（いずれも図３参照）とが配設されており、槽本体５０の底面５０ｔの略中央部に、洗浄ケース６が配設されている。この超音波振動子５２は、洗浄消毒槽４に貯留される洗浄水、或いは水道水に振動を与えて、内視鏡１００の外表面を超音波洗浄、或いは濯ぐものである。また、ヒータ５３は、洗浄消毒槽４内に貯留される消毒液、水道水等を所定の温度に加温するためのものである。
【００３６】
洗浄ケース６には、内視鏡１００の各スコープスイッチ等のボタン類、内視鏡１００に併設されている取り外し可能な部品が収容される。その結果、各ボタン類及び取り外した部品は、内視鏡１００と一緒に洗浄、消毒される。
【００３７】
槽本体５０の側面５０ｓの任意の位置に、槽本体５０に供給された洗浄液、水、消毒液等の水位を検出するカバー付き水位センサ３２が設けられている。  
テラス部５１のテラス面５１ｔ以外の面、即ち槽本体５０の底面５０ｔと平行な面に、槽本体５０に対し、洗剤タンク１１ａから、後述する洗剤用ポンプ４０（図３参照）により、水道水により所定の濃度に希釈される洗浄剤を供給するための洗剤ノズル２２及び、後述する薬液タンク５８（図３参照）から、後述する薬液ポンプ６５（図３参照）により、消毒液を供給するための消毒液ノズル２３が配設されている。
【００３８】
さらに、テラス部５１の槽本体５０の底面５０ｔと平行な面に、槽本体５０に対し、給水するための、または槽本体５０の循環口５６から吸引した洗浄液、水、消毒液等を、再度槽本体５０に供給するための給水循環ノズル２４が配設されている。
【００３９】
尚、洗剤ノズル２２、消毒液ノズル２３及び給水循環ノズル２４は、テラス面５１ｔに配設されていても良い。
【００４０】
また、テラス部５１のテラス面５１ｔの操作者近接位置４ｋに対向する側の面５１ｆに、内視鏡１００の内部に具備された複数の内視鏡管路に、後述する水、洗浄液、アルコール、消毒液、またはエア等を供給するための複数、ここでは２つの送気送水／鉗子口用ポート３３と、鉗子起上用ポート３４と、漏水検知用ポート３５とが配設されている。
【００４１】
次に、図３、図４に基づいて、洗浄消毒装置１の内部構成について説明する。図３は、図１の洗浄消毒装置の内部構成を、洗浄消毒槽に内視鏡が収容された状態で示す図、図４は、図３の洗浄消毒槽に収容された内視鏡を拡大して概略的に示す図である。
【００４２】
図３に示すように、洗浄消毒装置１は、給水ホース接続口３１が給水ホース３１ａの一端と接続され、この給水ホース３１ａの他端が外部の水道蛇口５に接続されることにより、水道水が供給される構成を有している。
【００４３】
給水ホース接続口３１は、給水管路９の一端と連通している。この給水管路９は、他端が三方電磁弁１０に接続されており、管路の中途において、給水ホース接続口３１側から順に、給水電磁弁１５と、逆止弁１６と、給水フィルタ１７とが介装されている。
【００４４】
尚、給水フィルタ１７は、定期的に交換できるように、カートリッジタイプの濾過フィルタとして構成されており、図示しないフィルタケースに装脱自在となっている。給水フィルタ１７は、通過する水道水の異物、雑菌等を除去する。
【００４５】
三方電磁弁１０は、流液管路１８の一端と接続されており、給水循環ノズル２４に対する給水管路９と流液管路１８との連通を内部の弁によって切り替える。つまり、給水循環ノズル２４は、三方電磁弁１０の切り替え動作により、給水管路９と流液管路１８とのいずれか一方と連通する。また、流液管路１８の他端側には、液体のみを移送することができる、液体の移送能力に優れた非自吸式のポンプである流液ポンプ１９が介装されている。
【００４６】
洗浄消毒槽４に配設された循環口５６は、液体供給管路である循環管路２０の一端が接続されている。循環管路２０の他端は、流液管路１８の他端及び液体供給管路であるチャンネル管路２１の一端と連通するように、２つに分岐している。チャンネル管路２１の他端は、上述した各送気送水／鉗子口用ポート３３に連通している（尚、図３においては、各送気送水／鉗子口用ポート３３は１つのみ図示している）。また、図示しないが、チャンネル管路２１の他端は、上述した鉗子起上用ポート３４にも連通している。
【００４７】
また、ポート３３には、液体供給管路である洗浄チューブ１１５の一端が接続されており、洗浄チューブ１１５の他端は、図４に示すように、操作部１０１と挿入部１０４とユニバーサルコード１０２とコネクタ１０３とを具備する内視鏡１００において、操作部１０１の処置具挿通口１９０に設けられた管路口金１１０と、操作部１０１に設けられた管路口金１１１とに接続されている。尚、管路口金１１０、１１１は、操作部１０１、挿入部１０４、ユニバーサルコード１０２、コネクタ１０３の内部に挿通された吸引管路１００ｉに連通する口金となっている。
【００４８】
また、吸引管路１００ｉの管路径は、一例を挙げると、例えば挿入部１０４、操作部１０１内に挿通された吸引管路１００ｉの管路径は、１．２〜６．０ｍｍを有しており、ユニバーサルコード１０２、コネクタ１０３内に挿通された吸引管路１００ｉの管路径は、３．７ｍｍを有している。
【００４９】
尚、管路口金１１０に対する洗浄チューブ１１５の他端側の接続構成は後述する。また、管路口金１１１にも、図示しないが、鉗子起上用ポート３３に一端が接続された図示しない洗浄チューブの他端が接続されている。
【００５０】
チャンネル管路２１は、管路の中途において、前記一端側から順に、チャンネルポンプ２６、チャンネルブロック２７、流量センサ１５０、チャンネル電磁弁２８がそれぞれ介装されている。チャンネルブロック２７とチャンネル電磁弁２８の間におけるチャンネル管路２１には、洗浄ケース６と一端が接続しているケース用管路３０の他端が接続されている。このケース用管路３０には、リリーフ弁３６が介装されている。
【００５１】
尚、チャンネルポンプ２６は、気体または液体のいずれかを、非自吸式ポンプよりも高圧で移送することができる自吸式のポンプから構成されている。尚、チャンネルポンプ２６を自吸式のポンプで構成したのは、内視鏡１００が具備する吸引管路１００ｉ内に対し、確実に、洗浄、消毒、濯ぎ等を行うため、チャンネル管路２１を介しポート３３から吸引管路１００ｉ内に、洗浄液、消毒液、水道水、エア等を高圧で送り込む必要があるためである。
【００５２】
流量センサ１５０は、チャンネル管路２１を流れる液体の供給量を検出するとともに、該液体の供給量から内視鏡１００の吸引管路１００ｉの詰まりを検出するものである。
【００５３】
洗剤ノズル２２は、洗浄剤管路３９の一端と接続されており、洗浄剤管路３９の他端は、洗剤タンク１１ａに接続されている。この洗浄剤管路３９には、その中途に、洗浄剤を洗剤タンク１１ａから洗浄消毒槽４まで持ち上げるため高圧の自吸式のポンプから構成された洗剤用ポンプ４０が介装されている。
【００５４】
アルコールタンク１１ｂは、アルコール管路４１の一端と接続されており、このアルコール管路４１はチャンネル管路２１と所定に連通するように、他端がチャンネルブロック２７に接続されている。
【００５５】
このアルコール管路４１には、アルコールをアルコールタンク１１ｂから洗浄消毒槽４まで持ち上げるため高圧の自吸式のポンプから構成されたアルコール供給ポンプ４２と、電磁弁４３とが介装されている。
【００５６】
また、チャンネルブロック２７には、気体を移送することができる自吸式ポンプから構成された、吸引管路１００ｉに対し、エアポンプ４５からのエアを供給するためのエア管路４４の一端が所定にチャンネル管路２１と連通するように接続されている。このエア管路４４は、他端がエアポンプ４５に接続されており、エア管路４４の中途位置には、逆止弁４７と、定期的に交換されるエアフィルタ４６とが介装されている。
【００５７】
洗浄消毒槽４の排水口５５には、弁の切り替え動作により、外部へ洗浄液等を排出したり、薬液タンク５８に消毒液を回収したりするための開閉自在な切替弁５７が配設されている。
【００５８】
切替弁５７に、外部排水口へ接続される不図示の排水ホースと一端が接続されて連通する排水管路５９の他端が接続されており、この排水管路５９には、非自吸式のポンプから構成された排水ポンプ６０が介装されている。また、切替弁５７に、薬液回収管路６１の一端が接続され、この薬液回収管路６１の他端は薬液タンク５８に接続されている。
【００５９】
薬液タンク５８は、薬液ボトル１２ａからの消毒液が供給されるように、薬液供給管路６２の一端が接続されている。この薬液供給管路６２の他端は、カセットトレー１２に所定に接続されている。
【００６０】
また、薬液タンク５８内には、一端に吸引フィルタ６３が設けられた薬液管路６４の一端部分が所定に収容されている。この薬液管路６４は、他端が消毒液ノズル２３に接続されており、中途位置に、消毒液を薬液タンク５８から洗浄消毒槽４まで持ち上げるため高圧の自吸式のポンプから構成された薬液ポンプ６５が介装されている。  
尚、洗浄消毒槽４の底面５０ｔの下部には、上述したように、例えば２つの超音波振動子５２と、ヒータ５３とが配設されている。また、ヒータ５３の温度調節のため、洗浄消毒槽４の底面５０ｔの略中央には、温度検知センサ５３ａが設けられている。
【００６１】
このヒータ５３は、洗浄消毒槽４内に貯留され、装置内を循環する消毒液を所定の温度に加温するためのものである。尚、消毒液には、その消毒効果が最も期待できる適正温度がある。この適正温度である前記所定の温度までヒータ５３によって加温された消毒液は、内視鏡１００、及び装置本体２内の各管路を有効的に消毒することができる。
【００６２】
また、温度検知センサ５３ａは、洗浄消毒槽４内に貯留され、装置内を循環する消毒液の液温を検知し、その検知結果を制御部７０へと伝達する。そして、制御部７０は、温度検知センサ５３ａからの検知結果に基づいて、消毒液を所定の温度に保つように、ヒータ５３を駆動、停止する制御を行う。
【００６３】
また、洗浄消毒装置１の内部には、外部のＡＣコンセントから電力が供給される電源７１と、この電源７１と電気的に接続される制御部７０が設けられている。この制御部７０は、メイン操作パネル２５及びサブ操作パネル１３からの各種信号が供給されることにより、上述した各ポンプ、各電磁弁、流量センサ１５０などを駆動制御する。
【００６４】
次に、図５〜図７を用いて、図３の送気送水／鉗子口用ポートに一端側が接続された洗浄チューブの他端側における吸引管路の管路口金への接続構成を説明する。図５は、図４の内視鏡の処置具挿通口の管路口金に、洗浄チューブの他端側の液体供給口金を装着した状態を拡大して示す部分断面図、図６は、図５の管路口金の被係止部に、液体供給口金の爪部の係止部が係止している状態を拡大して示す部分断面図である。
【００６５】
尚、以下、液体供給口金が接続される吸引管路の管路口金は、管路口金１１０を例に挙げて説明する。
【００６６】
図５に示すように、洗浄チューブ１１５の他端側に、管路口金１１０に装着自在であって、管路口金１１０に装着された際、吸引管路１００ｉに、循環管路２０、チャンネル管路２１、ポート３３、洗浄チューブ１１５を介して送液された洗浄消毒槽４内の水、洗浄液、消毒液等の液体Ｗを供給する液体供給口金２００が設けられている。
【００６７】
尚、液体供給口金２００は、液体Ｗの他、エアポンプ４５、エア管路４４、チャンネル管路２１、ポート３３、洗浄チューブ１１５を介して送気されたエアを、吸引管路１００ｉに供給する機能も有している。
【００６８】
液体供給口金２００は、第１の管路部材１２０と第２の管路部材１３０とにより主要部が構成されている。
【００６９】
第１の管路部材１２０は、略円柱状に形成されており、内部に、管路口金１１０に対する液体供給口金２００の装脱方向Ｄに沿って、第１の管路１２０ｉが形成されている。第１の管路１２０ｉは、管路口金１１０に液体供給口金２００が装着された際、吸引管路１００ｉに連通する。
【００７０】
また、第１の管路部材１２０は、図５、図６に示すように、図５中における装脱方向Ｄの底部側の一部に、管路口金１１０に液体供給口金２００が装着された際、管路口金１１０の図５中における装脱方向上側の装着面１１０ｆに当接する、例えば２本の突起部１２１が形成されている。
【００７１】
このことにより、管路口金１１０に液体供給口金２００が装着された際、第１の管路部材１２０は、装脱方向Ｄの底部側の一部のみが装着面１１０ｆに当接するようになっている。
【００７２】
また、突起部１２１が装着面１１０ｆに当接していることにより、図６に示すように、装着面１１０ｆと、第１の管路部材１２０の底部側における突起部１２１を除く装着面１１０ｆの対向面１２０ｆとの間には、装脱方向Ｄにおいて、設定間隔Ｔを有する空間Ｓが形成されている。言い換えれば、突起部１２１は、装脱方向Ｄにおいて、空間Ｓが設定間隔Ｔを有する長さに形成されている。
【００７３】
よって、装着面１１０ｆと対向面１２０ｆとの間に空間Ｓが形成されていることにより、図５に示すように、管路口金１１０に液体供給口金２００が装着され、吸引管路１００ｉに液体Ｗが供給された際、空間Ｓを介して、吸引管路１００ｉから設定量の液体Ｗが、一定量漏れ出す構成となっている。このことにより、装着面１１０ｆ及び対向面１２０ｆは、突起部１１２と装着面１１０ｆとの当接部位以外は、空間Ｓから漏れ出した液体Ｗにより確実に洗浄消毒される。
【００７４】
尚、空間Ｓから漏れ出す液体Ｗの設定量は、０L/min量より大きく、１．５L/min量以下（０＜Ｗ≦１．５）に設定されている。言い換えれば、設定間隔Ｔは、空間Ｓから、０L/min量より大きく、１．５L/min量以下、液体Ｗが漏れ出す間隔に設定されている。また、上述の０L/min量より大きくとは、０L/min量を含まないの意である。
【００７５】
第２の管路部材１３０は、図５に示すように、第１の管路部材１２０の外周に、Ｏリング１４０を介して嵌合されており、断面略凸状に形成されている。また、第２の管路部材１３０の内部には、第１の管路１２０ｉに連通する第２の管路１３０ｉが形成されている。
【００７６】
さらに、第２の管路１３０ｉに、管路口金１１０に液体供給口金２００が装着された際、第２の管路１３０ｉ内において、第１の管路部材１２０を、装脱方向Ｄにおいて管路口金１１０側に押圧する、例えばバネ等の押圧部材１７０が設けられている。
【００７７】
押圧部材１７０は、第１の管路部材１２０を管路口金１１０側に押圧することにより、管路口金１１０に液体供給口金２００が装着された際、常時、装着面１１０ｆに突起部１２１が当接することにより、装着面１１０ｆと対向面１２０ｆとの間の設定間隔Ｔを保持する機能を有している。
【００７８】
尚、押圧部材１７０の押圧力は、管路口金１１０に液体供給口金２００が装着され、吸引管路１００ｉに液体Ｗを供給した際、吸引管路１００ｉから、第１の管路部材１２０に付与される圧力によって、第１の管路部材１２０が、第２の管路１３０ｉ内において装脱方向Ｄの上方に移動してしまい、突起部１２１が装着面１１０ｆから離間してしまうのを防ぐ押圧力に設定されている。即ち、設定間隔Ｔを維持する押圧力に設定されている。尚、吸引管路１００ｉから第１の管路部材１２０に付与される圧力は、吸引管路１００ｉの管路径によって異なる。
【００７９】
また、第２の管路部材１３０の装脱方向Ｄの底部側に、第２の管路１３０ｉにおいて第１の管路部材１２０を保持する保持部材１６０が設けられている。
【００８０】
図５に戻って、第２の管路部材１３０の外周に、係止部である、例えば２本の爪部１３１が形成されている。爪部１３１は、管路口金１１０に液体供給口金２００が装着された際、図５、図６に示すように、係止爪１３１ｓが管路口金１１０の装脱方向Ｄの底部側の面に形成された被係止部１１０ｓに係止されることにより、押圧部材１７０の押圧に伴って第２の管路部材１３０を管路口金１１０に固定する機能を有している。即ち、爪部１３１により、液体供給口金２００が、管路口金１１０から脱却されてしまうのが防止される。
【００８１】
また、第２の管路部材１３０の装脱方向Ｄの上側に、洗浄チューブ１１５の内部の流路１１５ｉに液密に挿入されるとともに、洗浄チューブ１１５の流路１１５ｉを流れる液体Ｗを、第２の管路１３０ｉに導入する液体導入口１３２が形成されている。
【００８２】
尚、管路口金１１１に装着される図示しない液体供給口金も、上述した液体供給口金２００と同様の構成を有している。
【００８３】
次に、本実施の形態の作用について説明する。尚、以下、作用は、吸引管路を洗浄するとともに、吸引管路の詰まりを検出する作用についてのみ説明する。尚、その他の作用は周知であるため、その説明は省略する。
【００８４】
洗浄消毒槽４内にセットされた内視鏡１００の吸引管路１００ｉを洗浄する場合には、先ず、一端がポート３３に接続された洗浄チューブ１１５の他端側に設けられた液体供給口金２００を、図５に示すように、内視鏡１００の管路口金１１０に装着する。
【００８５】
この際、図５、図６に示すように、爪部１３１の係止爪１３１ｓが管路口金１１０の被係止部１１０ｓに係止されることにより、液体供給口金２００の管路口金１１０に対する不意の脱却が防止されるとともに、第１の管路部材１２０の突起部１２１が管路口金１１０の装着面１１０ｆに当接する。このことにより、装着面１１０ｆと対向面１２０ｆとの間には、装脱方向Ｄにおいて設定間隔Ｔを有する空間Ｓが形成される。
【００８６】
また、図５に示すように、洗浄チューブ１１５の流路１１５ｉは、液体供給口金２００の第２の管路１３０ｉ、第１の管路１２０ｉを介して、吸引管路１００ｉに連通する。
【００８７】
その後、水道蛇口５からの水道水が、給水管路９を介して給水循環ノズル２４から洗浄消毒槽４に供給されるとともに、洗剤用ポンプ４０が駆動されることにより、洗剤タンク１１ａからの洗浄剤が洗浄剤管路３９を介して、洗剤ノズル２２から洗浄消毒槽４に供給される。その結果、洗浄剤が水道水によって希釈されることにより、洗浄消毒槽４は洗浄液で満たされる。
【００８８】
その後、流液ポンプ１９が駆動されると、洗浄消毒槽４内の洗浄液は、循環口５６から、循環管路２０、流液管路１８を介して、給水循環ノズル２４から再度洗浄消毒槽４に供給される。その結果、洗浄消毒槽４内に洗浄液の対流が発生することにより、内視鏡１００の外表面は洗浄される。
【００８９】
次いで、チャンネルポンプ２６が駆動されると、洗浄消毒槽４内の洗浄液は、循環口５６から、循環管路２０、チャンネル管路２１、ポート３３、洗浄チューブ１１５、液体供給口金２００を介して、管路口金１１０から吸引管路１００ｉに供給される。その結果、吸引管路１００ｉは洗浄される。
【００９０】
この際、図５に示すように、押圧部材１７０により、第１の管路部材１２０は、管路口金１１０側に装脱方向Ｄに沿って押圧されていることから、突起部１２１が装着面１１０ｆに当接することによる空間Ｓの装脱方向Ｄに沿った設定間隔Ｔは、吸引管路１００ｉから第１の管路部材１２０に圧力が付与されたとしても保持される。
【００９１】
また、空間Ｓを介して、洗浄液は、管路口金１１０外に一定量漏れ出す。尚、この際の漏れだし量は、０L/min量より大きく、１．５L/min量以下に設定されている。その結果、突起部１２１の当接部位を除く装着面１１０ｆ及び対向面１２０ｆは、漏れ出した洗浄液により洗浄される。
【００９２】
また、吸引管路１００ｉへの洗浄液の供給に伴い、チャンネル管路２１に設けられた流量センサ１５０は、チャンネル管路２１を流れる流量を検出するとともに、吸引管路１００ｉに詰まりがないときの流量と現在の流量とを比較して、吸引管路１００ｉに詰まりが発生しているか否かを検出する。
【００９３】
吸引管路１００ｉに詰まりがないときの流量と現在の流量とが略一致する場合には、吸引管路１００ｉには詰まりがないと判定し、判定結果を制御部７０に送信する。また、吸引管路１００ｉに詰まりがないときの流量よりも現在の流量が低下している場合には、吸引管路１００ｉに詰まりが発生していると判定し、判定結果を制御部７０に送信する。
【００９４】
尚、通常は、上述したように、各口金１１０、２００間から洗浄液が漏れている場合には、流量センサ１５０における流量変化が検出できないといった問題があったが、本実施の形態においては、各口金１１０、２００間の空間Ｓから、一定量、具体的には、０L/min量より大きく、１．５L/min量以下に洗浄液が漏れ出すように構成されていることから、確実に、流量センサ１５０は、流量変化を検出することができる。
【００９５】
最後に、吸引管路１００ｉの洗浄後は、既知の手段によって、洗浄消毒槽４内に水道水が貯留された後、吸引管路１００ｉに水道水が供給されて吸引管路１００ｉが濯がれ、既知の手段によって、洗浄消毒槽４内に消毒液が貯留されて、吸引管路１００ｉに消毒液が供給された後、吸引管路１００ｉが消毒される。その後、吸引管路１００ｉに、既知の手段により、アルコール及びエアが供給されて、吸引管路１００ｉは乾燥される。尚、以上説明した作用は、管路口金１１０に限らず、管路口金１１１においても同様である。
【００９６】
このように、本実施の形態においては、管路口金１１０に液体供給口金２００が装着された際、突起部１２１が管路口金１１０の装着面１１０ｆに当接することにより、装着面１１０ｆと液体供給口金２００の対向面１２０ｆとの間の空間Ｓから、設定量、具体的には、０L/min量より大きく、１．５L/min量以下の液体Ｗが漏れ出るよう構成されていると示した。
【００９７】
また、チャンネル管路２１に設けられた流量センサ１５０により、液体Ｗの供給量の変化から、吸引管路１００ｉの詰まりを検出すると示した。
【００９８】
このことによれば、吸引管路１００ｉを洗浄消毒する際、突起部１２１が当接している部位以外の装着面１１０ｆ及び対向面１２０ｆをも、空間Ｓから漏れ出た液体Ｗにより、確実に洗浄消毒することができる。
【００９９】
また、空間Ｓからは、一定量、液体Ｗが漏れ出るように構成されていることから、吸引管路１００ｉに詰まりが発生している場合、流量センサ１５０における流量変化を確実に検出することができる。
【０１００】
さらに、本実施の形態においては、管路口金１１０に液体供給口金２００が装着された際、押圧部材１７０が、第１の管路部材１２０を、装脱方向Ｄにおいて管路口金１１０側に押圧することにより、装着面１１０ｆと対向面１２０ｆとの間の設定間隔Ｔを保持すると示した。
【０１０１】
このことによれば、吸引管路１００ｉへの液体Ｗの供給に伴い、吸引管路１００ｉから第１の管路部材１２０に圧力が付与されたとしても、設定間隔Ｔは変化しないことから、空間Ｓから漏れ出す液体Ｗの量を一定に維持できるため、流量センサ１５０における液量変化の検出を妨げることがない。
【０１０２】
以上から、吸引管路１００ｉの管路口金１１０と液体供給口金２００との間の装着面１１０ｆ及び対向面１２０ｆを、各口金１１０、１２０間からの液体Ｗの漏れによって確実に洗浄消毒することができるとともに、吸引管路１００ｉの詰まり検出も精度良く確実に行うことができる構成を具備する内視鏡洗浄消毒装置１を提供することができる。
【０１０３】
尚、以下、変形例を示す。  
本実施の形態においては、内視鏡管路は、吸引管路を例に挙げて示したが、これに限らず、内視鏡が具備する他の管路、例えば送気送水管路に本実施の形態を適用しても構わないということは勿論である。
【０１０４】
また、本実施の形態においては、内視鏡１００としては、操作部１０１と、ユニバーサルコード１０２と、コネクタ１０３と、挿入部１０４とを具備する内視鏡を例に挙げ、各部位１０１〜１０４内に設けられた吸引管路１００ｉを洗浄すると示したが、これに限らず、ユニバーサルコード１０２、コネクタ１０３を有さない内視鏡において、挿入部及び操作部内に設けられた吸引管路を洗浄する場合に本実施の形態を適用しても構わない。
【０１０５】
また、以下、変形例を、図７を用いて示す。図７は、図５とは異なる構成によって、管路口金と液体供給口金との間に空間を設ける変形例を示す部分断面図である。
【０１０６】
本実施の形態においては、液体供給口金２００の突起部１２１が管路口金１１０の装着面１１０ｆに当接することにより、液体供給口金２００の対向面１２０ｆと管路口金の１１０の装着面１１０ｆとの間に空間Ｓを形成し、該空間Ｓを介して、吸引管路１００ｉから液体Ｗが漏れ出すと示した。
【０１０７】
これに限らず、図７に示すように、管路口金２１０の装脱方向Ｄの上面側の装着面２１０ｓを、断面略山型となるように設けるとともに、液体供給口金２００の底部側の一部に、装着面２１０ｓに非接触な穴部２２１を設けることにより、穴部２２１における装着面２１０ｓの対向面２２１ｓと管路口金２１０の装着面２１０ｓとの間に空間Ｓ’を形成して、該空間Ｓ’を介して、吸引管路１００ｉから液体Ｗを漏れ出すようにしても構わない。
【図面の簡単な説明】
【０１０８】
【図１】本実施の形態を示す洗浄消毒装置の斜視図。
【図２】図１のトップカバーが開放され、洗浄消毒槽に内視鏡が収納自在な状態を示す洗浄消毒装置の斜視図。
【図３】図１の洗浄消毒装置の内部構成を、洗浄消毒槽に内視鏡が収容された状態で示す図。
【図４】図３の洗浄消毒槽に収容された内視鏡を拡大して概略的に示す図。
【図５】図４の内視鏡の処置具挿通口の管路口金に、洗浄チューブの他端側の液体供給口金を装着した状態を拡大して示す部分断面図。
【図６】図５の管路口金の被係止部に、液体供給口金の爪部の係止部が係止している状態を拡大して示す部分断面図。
【図７】図５とは異なる構成によって、管路口金と液体供給口金との間に空間を設ける変形例を示す部分断面図。
【符号の説明】
【０１０９】
１…内視鏡洗浄消毒装置
２０…循環管路（液体供給管路）
２１…チャンネル管路（液体供給管路）
１００…内視鏡
１００ｉ…吸引管路（内視鏡管路）
１１０…管路口金
１１０ｆ…装着面
１１０ｓ…被係止部
１１５…洗浄チューブ（液体供給管路）
１２０…第１の管路部材
１２０ｆ…対向面
１２０ｉ…第１の管路
１２１…突起部（第１の管路部材の一部）
１３０…第２の管路部材
１３０ｉ…第２の管路
１３１…係止部
１３２…液体導入口
１５０…流量センサ
１７０…押圧部材
２００…液体供給口金
Ｄ…装脱方向
Ｓ…空間
Ｔ…設定間隔
Ｗ…液体
【図１】
2010011977.tif 000003
【図２】
2010011977.tif 000004
【図３】
2010011977.tif 000005
【図４】
2010011977.tif 000006
【図５】
2010011977.tif 000007
【図６】
2010011977.tif 000008
【図７】
2010011977.tif 000009